(57)【要約】【課題】パルセータを二重構造とする場合に、洗濯行程中に絡まった洗濯物をほぐして洗濯性能、乾燥性能を向上できる洗濯乾燥機を得る。【解決手段】外箱内に水槽２を揺動自在に吊支し、この水槽２内に底部に回転翼７を設けた洗濯兼脱水槽３を回転自在に配設した洗濯乾燥機において、前記回転翼７を外翼５の上部にこの外翼５よりも小径の内翼４を重ねた二重構造とし、内翼４をモータ８に連結した洗濯軸９に連結し、外翼５を前記洗濯軸９に連結した遊星ギヤ６に連結し、内翼４からの外翼５の外方へのリング状の突出部を洗濯物の掻き落し部５ａに形成した。【選択図】        図２
2010000135.tif 000002
【特許請求の範囲】
【請求項１】
外箱内に水槽を揺動自在に吊支し、この水槽内に底部に回転翼を設けた洗濯兼脱水槽を回転自在に配設した洗濯乾燥機において、前記回転翼を外翼の上部にこの外翼よりも小径の内翼を重ねた二重構造とし、内翼をモータに連結した洗濯軸に連結し、外翼を前記洗濯軸に連結した遊星ギヤに連結し、内翼からの外翼の外方へのリング状の突出部を洗濯物の掻き落し部に形成したことを特徴とする洗濯乾燥機。
【請求項２】
前記外翼に形成された掻き落し部の上部に適宜間隔で複数の突起を設けたことを特徴とする請求項１記載の洗濯乾燥機。
【請求項３】
前記モータはアウターローター型であることを特徴とする請求項１記載の洗濯乾燥機。
【発明の詳細な説明】
【技術分野】
【０００１】
本発明は、洗濯乾燥機の特に回転翼に関するものである。
【背景技術】
【０００２】
例えば全自動一槽式洗濯乾燥機は、外箱内に水槽を揺動自在に吊支し、この水槽内に底部に回転翼を有する洗濯兼脱水槽を回転自在に配設し、水槽の下方にはモータが配設され、このモータには、回転翼に一端が連結する洗濯軸の他端が連結されている。
【０００３】
そして、洗いやすすぎ行程ではモータにより回転する洗濯軸の回転が回転翼に伝達され、回転翼が回転して、洗濯兼脱水槽内の水が攪拌されて水流が発生し洗濯物が攪拌される。
【０００４】
ところで、槽内に複雑な水流が生起するようにし、種々の洗濯物の汚れに対し、適正な水流を選択して洗濯が実行できる洗濯性能の向上した洗濯機がある（例えば特許文献１参照）。
【０００５】
これは、槽内底部に回転可能に攪拌体を備え、該攪拌体を槽外に配置したモータによって回転駆動するようにした洗濯機において、前記攪拌体は、槽内方に向けて突出する羽根山をそれぞれ有する環状の底部パルセータと、この底部パルセータの外周に沿うように設けられた円筒状の外周部パルセータとによりなり、かつ、一方のパルセータが前記モータによって回転駆動され、他方のパルセータが前記一方のパルセータに対し同一の軸中心のもとに遊転するものである。
【特許文献１】特開２０００−１５７７７５号公報
【発明の開示】
【発明が解決しようとする課題】
【０００６】
前記特開２０００−１５７７７５号公報に記載の洗濯機は、洗い行程では、外周部パルセータが正逆回転、あるいは間欠回転することによって外側から内側に向う一方向のやさしい水流を発生させると同時に、前記外周部パルセータが正逆回転あるいは間欠回転する際の回転停止時間内に、洗濯物が惰性力で回転することで時間遅れを生じながら回転する。
【０００７】
こうして遊転する底部パルセータによっても外部パルセータによるものとは異なる水流が生起し、洗濯兼脱水槽内に複雑な水流が形成され、洗浄力が向上したものとなる。
【０００８】
このように複雑な水流を生起させる洗濯機では、乾燥等の行程時など、攪拌動作を繰返すことによって洗濯物が複雑に絡み合うおそれがある。
【０００９】
また、モータと洗濯軸とは直結されており、このため、使用を繰返すことによって種々の箇所に負担がかかることが予想される。
【００１０】
本発明は前記従来例の不都合を解消するものとして、パルセータを二重構造とする場合に、洗濯行程中に絡まった洗濯物をほぐして洗濯性能、乾燥性能を向上できる洗濯乾燥機を提供するものである。
【課題を解決するための手段】
【００１１】
請求項１記載の本発明は、外箱内に水槽を揺動自在に吊支し、この水槽内に底部に回転翼を設けた洗濯兼脱水槽を回転自在に配設した洗濯乾燥機において、前記回転翼を外翼の上部にこの外翼よりも小径の内翼を重ねた二重構造とし、内翼をモータに連結した洗濯軸に連結し、外翼を前記洗濯軸に連結した遊星ギヤに連結し、内翼からの外翼の外方へのリング状の突出部を洗濯物の掻き落し部に形成したことを要旨とするものである。
【発明の効果】
【００１２】
以上述べたように本発明の洗濯乾燥機は、遊星ギヤによる外翼の相互反転運動によって洗濯行程中に絡まった衣類がほぐれ易くなる。また、回転翼を外翼と内翼との二重構造としたことで、外翼が衣類の掻き落しを行い、内翼が前記掻き落しによって落ちた衣類を回転翼の回転の中心に引き込むことができ、衣類をほぐすことができる。
【発明を実施するための最良の形態】
【００１３】
以下、図面について本発明の実施形態を詳細に説明する。図１は本発明の洗濯乾燥機の実施形態を示す縦断側面図、図２は同上要部である回転翼部分の縦断側面図、図３は同上回転翼の平面図で、洗濯乾燥機の全体構成から説明する。
【００１４】
本発明の洗濯乾燥機は、外箱１内に水槽２を防振機構を介して揺動自在に吊支し、水槽２内に底部に回転翼７を設けた洗濯兼脱水槽３を回転自在に配設している。また、水槽２の下方にはアウターローター型のモータ８を配設し、このモータ８に一端が直結する洗濯軸９の他端を回転翼７に連結する。
【００１５】
本発明では、前記回転翼７として、外翼５の上部にこの外翼５よりも小径の内翼４を重ねた二重構造とし、内翼４を前記モータ８に連結した洗濯軸９に連結し、外翼５を前記洗濯軸９に連結した遊星ギヤ６に連結した。これにより、内翼４は洗濯軸９によって回転し、外翼５は遊星ギヤ６を介して減速されて反転する構造となる。
【００１６】
このような構造により、内翼４の外方には外翼５の外周部分がリング状に突出することとなり、この突出部が洗濯物の掻き落し部５ａに形成される。この掻き落し部５ａの上面には適宜間隔で複数（図示の例では５個）の突起１０を一体に突出させる。
【００１７】
次に作用について説明する。洗濯行程中に絡まった衣類をほぐすには、モータ８が回転することでこれに直結されている洗濯軸９が回転し、これに結合されている内翼４が回転する。
【００１８】
洗濯軸９が回転することで、同時に遊星ギヤ６を介して外翼５が回転する。この場合、外翼５は遊星ギヤ６を介して回転するので、内翼４とは反対方向に回転し、かつ、内翼４よりも減速されて回転する。
【００１９】
洗濯兼脱水槽３の側壁にへばり付いた衣類などが、かかる外翼５の反転により掻き落し部５ａで掻き落され、掻き落された衣類は内翼４の回転により洗濯兼脱水槽３内の回転の中心方向に引きこまれる。その結果、絡まった衣類がほぐされて洗浄効果が増加する。
【００２０】
この場合、掻き落し部５ａに形成されている突起１０が爪のような作用をすることによって衣類の掻き落しはさらに良好に行われる。
【００２１】
なお、前記実施形態では外翼５と内翼４とは同時に相互反転運動をするように構成したが、ギヤを切替える構造を付加することで外翼５は固定して回転させずに内翼４のみを回転させることもできる。
【００２２】
このようにすることで、例えば毛布などの大物の洗濯物を洗濯する場合、内翼４の回転によって得られる攪拌水流が外翼５の反転によって低減されることを防止でき、攪拌能力が低下することを防げる。そして、モータ８に、大きなトルクを確保できるアウターローター型を使用することの実効性も発現できる。
【００２３】
また、洗濯開始時に洗濯内容を設定するに際し、衣類の重量検知を行うが、このときにも内翼４のみを回転させ外翼５は停止させておくことで、重量検知の精度の低下を防ぐこともできる。
【００２４】
さらに、本発明では前記のようにアウターローター型のモータ８に直結の洗濯軸９と回転翼７との間に遊星ギヤ６が介在することになるから、遊星ギヤによる減速作用によって、攪拌時にモータ８にかかる負荷を軽減することもでき、モータ８の保護を図ることもできる。
【図面の簡単な説明】
【００２５】
【図１】本発明の洗濯乾燥機の実施形態を示す縦断側面図である。
【図２】本発明の洗濯乾燥機の実施形態を示す要部である回転翼部分の縦断側面図である。
【図３】本発明の洗濯乾燥機の実施形態を示す要部である回転翼の平面図である。
【符号の説明】
【００２６】
１  外箱                        ２  水槽
３  洗濯兼脱水槽                ４  内翼
５  外翼                        ５ａ  掻き落し部
６  遊星ギヤ                    ７  回転翼
８  モータ                      ９  洗濯軸
１０  突起
【図１】
2010000135.tif 000003
【図２】
2010000135.tif 000004
【図３】
2010000135.tif 000005